(57)【要約】【課題】導光体を導光された光を所望の出射方向に出射することを可能にする一方で、導光体の設計の自由度を高めた車両用灯具を提供する。【解決手段】光源（ＬＥＤ）１４〜１６と、一方の端面が光源に対向配置された光入射面３１として構成され、光入射面３１から延長されて他方の端面が光出射面３２として構成され、光入射面３１に入射された光を光出射面３２まで導光する導光体３を備える。導光体３は延長方向の中間部位において所要の角度で屈曲されるとともに、光入射面３１に入射された光を光出射面３２に向けて内面反射する内面反射部３６を備える。光入射面３１は光源１４〜１６から出射した光の発散を抑える集光レンズ３７を備え、光出射面３２は導光された光を所定の方向に向けて偏向する屈折面として構成される。【選択図】  図５
2016225254.tif 000002
【特許請求の範囲】
【請求項１】
光源と、一方の端面が前記光源に対向配置された光入射面として構成され、当該光入射面から所定の方向に延長されて延長方向の他方の端面が光出射面として構成され、光入射面に入射された光を光出射面まで導光する導光体を備える車両用灯具であって、前記導光体は延長方向の中間部位において所要の角度で屈曲されるとともに、前記光入射面に入射された光を前記光出射面に向けて内面反射する内面反射部を備え、前記光入射面は前記光源から出射した光を発散を抑える方向に屈折して入射させる第１の光学要素を備え、前記光出射面は導光された光を所定の方向に向けて偏向する第２の光学要素を備えることを特徴とする車両用灯具。
【請求項２】
前記第１の光学要素は集光要素であり、前記第２の光学要素は光屈折要素である請求項１に記載の車両用灯具。
【請求項３】
前記導光体は前記光入射面から直線に延長された真直部と、当該真直部に対して所要の角度で屈曲されて真直状態に延長された屈曲部とを備え、前記内面反射部は前記真直部と前記屈曲部との境界領域に形成され、前記真直部を導光される平行光束を平行光束のまま前記屈曲部に向けて反射する請求項１又は２に記載の車両用灯具。
【請求項４】
前記導光体は、屈曲した位置が、前記内面反射部の光入射面側の端部位置よりも光出射面に近い位置に設定されている請求項３に記載の車両用灯具。
【請求項５】
前記導光体は延長方向に垂直な断面形状が長方形であり、当該長方形の長辺に沿った側面において屈曲されている請求項１ないし４のいずれかに記載の車両用灯具。
【発明の詳細な説明】
【技術分野】
【０００１】
本発明は長さ方向の一端面を光入射面とし、他端面を光出射面とした導光体を有する車両用灯具に関し、特に光源の発光光軸方向と光の照射方向とが異なる方向に向けられた車両用灯具に関するものである。
【背景技術】
【０００２】
車両用灯具では、車体形状に対応した適切な灯具を設計する際に、光源の発光光軸方向（発光した光の出射方向）を、灯具光軸（灯具の発光面から出射される光の照射方向）と一致させることができないことがある。このような灯具においては、従来から光源の光を灯具の発光面にまで導光する導光体を用いることが行なわれている。
【０００３】
例えば、特許文献１には、光源の光を導光体で構成された第１レンズと第２レンズを用いて導光し、光源の発光光軸に対してほぼ直角な方向に向けて出射させる技術が提案されている。また、特許文献２には、導光体の一端面に入射した光源の光を、導光体の一側面において内面反射させ、導光体の他方の端面から出射させる技術が提案されている。特許文献３には、光源の光を導光レンズの一端面に入射させ、当該導光レンズで導光するとともに導光レンズの一側面において光源の発光光軸に対してほぼ直角方向に内面反射させ、反射光を導光レンズからの反対側の側面から出射させる技術が提案されている。
【先行技術文献】
【特許文献】
【０００４】
【特許文献１】特開２０１５−２１４８号公報
【特許文献２】特開２０１２−５４０８３号公報
【特許文献３】特開２００６−３１３６８１号公報
【発明の概要】
【発明が解決しようとする課題】
【０００５】
特許文献１，２の技術は、光源から出射される発散光をそのまま導光体やレンズに入射させる構造である。そのため、導光体やレンズの内部を導光される光は、導光体やレンズの内部でランダムな状態で内面反射され、導光体やレンズの光出射面から出射される際にもあらゆる方向に向けて出射されることになる。これにより、特定の方向に向けて出射される光は光源から出射された光の一部となり、当該特定の方向に対する出射光度は低いものとなる。
【０００６】
これに対し、特許文献３は、導光レンズの光入射面に設けたフレネルレンズ部によって集光し、平行光束として導光レンズの内部を導光させ、さらに内面反射部において反射させた上で導光レンズから出射させている。したがって、導光レンズ内におけるランダムな内面反射は回避され、特定の方向に対する出射光度を高める上では有効である。
【０００７】
しかし、特許文献３の技術は、導光レンズで内面反射された光を反対側の側面からそのまま直進的に出射させる構成であるので、内面反射部の形状によって導光レンズからの光の出射方向が特定されてしまう。そのため、灯具内に導光レンズを配設したときの導光レンズの配設方向と、光を出射させようとする方向とが相違している場合には、内面反射部の設計・製造が難しいものになる。すなわち、内面反射部の設計に際しては導光レンズにおける臨界角を考慮する必要があるため、所望の方向に向けて光を内面反射する内面反射部を導光レンズに加工する際に当該臨界角の制約を受け、内面反射部の設計の自由度が低く、製造が難しいものとなる。
【０００８】
本発明の目的は、導光体からの光を所望の方向に出射させることを可能にする一方で、導光体の設計の自由度を高めた車両用灯具を提供するものである。
【課題を解決するための手段】
【０００９】
本発明は、光源と、一方の端面が光源に対向配置された光入射面として構成され、当該光入射面から所定の方向に延長されて延長方向の他方の端面が光出射面として構成され、光入射面に入射された光を光出射面まで導光する導光体を備える車両用灯具であって、導光体は延長方向の中間部位において所要の角度で屈曲されるとともに、光入射面に入射された光を光出射面に向けて内面反射する内面反射部を備える。その上で、光入射面は光源から出射した光を発散を抑える方向に屈折するための第１の光学要素を備え、光出射面は導光された光を所定の方向に向けて偏向する第２の光学要素を備えることを特徴とする。
【００１０】
本発明において、第１の光学要素は集光要素であり、第２の光学要素は光屈折要素である。本発明の導光体は、光入射面から直線に延長された真直部と、当該真直部に対して所要の角度で屈曲されて真直状態に延長された屈曲部とを備えており、内面反射部は真直部と屈曲部との境界を含む領域に形成され、真直部を導光される平行光束を平行光束のまま屈曲部に向けて反射する構成とすることが好ましい。
【発明の効果】
【００１１】
本発明によれば、導光体の光入射面に入射される光を第１の光学要素によって発散を抑えた光とし、この光を内面反射部において反射して屈曲部を導光させ、光出射面において第２の光学要素によって所定の方向に向けて出射させる。これにより、導光体を導光させる光を高い効率で光出射面にまで導光させ、かつ光出射面から出射させることができるとともに、光出射面からの光の出射方向の設計が容易になり、導光体の設計の自由度を高めることができる。
【図面の簡単な説明】
【００１２】
【図１】本発明を適用したテールランプを装備した自動車の一部の後面図。
【図２】図１のＩＩ−ＩＩ線に沿った拡大水平断面図。
【図３】テール＆ストップランプを分解した状態の概略斜視図。
【図４】ストップランプ導光体の斜視図と水平断面図とＣ−Ｃ線断面図。
【図５】テール＆ストップランプの各導光体での光の導光状態を示す水平断面図。
【図６】ストップランプ導光体の第１と第２の光学要素の変形例の断面図。
【発明を実施するための形態】
【００１３】
次に、本発明の実施の形態について図面を参照して説明する。図１は本発明にかかる導光体を内部に配設したテール＆ストップランプを装備した自動車ＣＡＲの一部の後面図であり、ここでは自動車ＣＡＲの車体の右後部に装備される右側のリアコンビネーションランプＲＣＬとして構成されている。この右側のリアコンビネーションランプＲＣＬは、テール＆ストップランプＴ＆ＳＬ、バックアップランプＢＵＬ、ターンシグナルランプＴＳＬを一体化している。なお、図示は省略するが左側のリアコンビネーションランプは左右対称の構造である。
【００１４】
図２は前記右リアコンビネーションランプＲＣＬの水平方向に沿った概略構造を示しており、図１のＩＩ−ＩＩ線の断面図である。この右リアコンビネーションランプＲＣＬは、ランプボディ１０１と正面カバー１０２とで構成されたランプハウジング１００に、前記したテール＆ストップランプＴ＆ＳＬ、バックアップランプＢＵＬ、ターンシグナルランプＴＳＬが内装されている。前記正面カバー１０２は自動車ＣＡＲの車体後部の形状に倣って曲面形状とされている。
【００１５】
前記テール＆ストップランプＴ＆ＳＬは、前記ランプハウジング１００内の車幅方向の外側領域に内装されており、概念的にはテールランプＴＬとストップランプＳＬとで構成されているが、実質的にはこれらテールランプＴＬとストップランプＳＬはテール＆ストップランプＴ＆ＳＬとして一体的に構成されている。ここでは、テール＆ストップランプＴ＆ＳＬは光源を含む光源ユニット１と、３個の導光体２，３，４とで構成されている。
【００１６】
前記光源ユニット１は前記ランプハウジング１００の内奥位置において前記ランプボディ１０１に固定支持されている。前記３個の導光体２，３，４は、所要の長さをした透光部材で構成されており、前記ランプハウジング１００内に車幅方向に並列状態に延長配置されている。各導光体２，３，４の一方の端面は前記光源ユニット１に対向配置され、他方の端面は前記正面カバー１０２の内面に沿って対向配置されている。
【００１７】
図３は前記テール＆ストップランプＴ＆ＳＬの部分分解斜視図である。図２と図３を参照して前記光源ユニット１と導光体２，３，４の詳細を説明する。前記光源ユニット１は表面に９個の光源１１〜１９が搭載された回路基板１０を備えている。この回路基板１０は表面を車幅方向の斜め外側に向けた状態で前記ランプハウジング１００の内奥位置において前記ランプボディ１０１に固定支持されている。
【００１８】
前記光源１１〜１９はそれぞれ回路基板１０の表面に対して発光光軸が垂直に向けられたＬＥＤで構成されており、前記回路基板１０の表面に３×３の行列配置されている。これらのＬＥＤ１１〜１９は前記回路基板１０に外部から供給される制御電流によって発光制御されるように設定されており、左右の各列の各３個のＬＥＤ１１〜１３，１７〜１９は夜間走行時に発光されるテールランプ光源として設定され、中央の列の３つのＬＥＤ１４〜１６はブレーキ操作時に発光されるストップランプ光源として設定されている。したがって、これらのＬＥＤ１１〜１９が発光したときの光の出射方向は自動車ＣＡＲの斜め後方に向けられる。
【００１９】
前記３個の導光体２，３，４は、それぞれ光源ユニット１に対向された一方の端面から、正面カバー１０２に対向された他方の端面に向けて延長された厚板状の透光部材で形成されており、特に延長方向に垂直な断面形状は長方形とされている。その上で、各導光体２，３，４は短辺が上下方向に向くように、すなわち長辺が左右方向に向くように配置されるとともに、前記ランプハウジング１００内において左右方向に所要の間隙をおいて配置され、前記ランプボディ１０１に固定支持されている。
【００２０】
さらに、３個の導光体２，３，４は車体幅方向の内側が凹むように屈曲されている。導光体をこのように屈曲させることにより、ランプハウジング１００内には導光体２，３，４の凹んだ側の領域にスペースが確保でき、このスペースにランプ構成部品、例えばランプ制御回路部品を配設することが可能になる。また、このように導光体２，３，４を屈曲させることで、テール＆ストップランプＴ＆ＳＬ、ないしはリアコンビネーションランプＲＣＬの奥行寸法を薄くすることが可能になる。
【００２１】
前記３個の導光体２，３，４のうち、左右両側の２個の導光体２，４はテールランプ導光体として構成され、中央の導光体３はストップランプ導光体として構成されている。そして、各導光体２，３，４はいずれも前記ＬＥＤ１１〜１９が発光したときに、各ＬＥＤ１１〜１９から出射された光が各導光体２，３，４の一方の端面に入射され、各導光体２，３，４の内部を延長方向に導光された後、他方の端面から出射されるようになっている。このときの出射される光の照射方向は自動車ＣＡＲの真後ろ方向に向けられる。
【００２２】
前記テールランプ導光体２，４は、前記した厚板状の透光部材が車幅方向の内側に凹むように曲線状に湾曲された構成とされている。そして、テールランプ導光体２の一方の端面２１は光入射面として前記テールランプ光源としての左列の３個のＬＥＤ１１〜１３に対向配置され、他方の端面２２は光出射面として前記ランプハウジング１００の正面カバー１０２に対向配置されている。同様に、テールランプ導光体４の一方の端面４１は光入射面として前記テールランプ光源としての右列の３個のＬＥＤ１７〜１９に対向配置され、他方の端面４２は光出射面として前記正面カバー１０２に対向配置されている。
【００２３】
前記テールランプ導光体２，４の光入射面２１，４１は平坦面に形成されている。また、光出射面２２，４２には光拡散要素として微小サイズの光拡散ステップ２３，４３が形成されており、光出射面から出射される光を拡散するようになっている。この光拡散ステップ２３，４３は、例えば多数の微細な球面ステップ（魚眼ステップ）で構成されている。
【００２４】
前記ストップランプ導光体３は本発明が適用された導光体であり、前記したように厚板状の透光部材で構成され、前記２個のテールランプ導光体２，４の左右方向の中間位置においてこれらテールランプ導光体２，４と並列状態に延長された状態に配置されている。このストップランプ導光体３の一方の端面３１は光入射面として前記ストップランプ光源としての中央列の３個のＬＥＤ１４〜１６に対向配置され、他方の端面３２は光出射面として前記ランプハウジング１００の正面カバー１０２に対向配置されている。
【００２５】
図４（ａ）は前記ストップランプ導光体３を図３とは異なる方向から見た斜視図、図４（ｂ）はその水平断面図、図４（ｃ）は同図（ａ）のＣ−Ｃ線断面図である。ストップランプ導光体３は、図４（ｃ）のように延長方向に垂直な断面が長方形をしており、前記光入射面３１から真直に延長された真直部３４と、この真直部３４から車幅方向の内側に向けて所要の角度で直線状態に屈曲された屈曲部３５とで概ね逆「く」字型に形成されている。すなわち、ストップランプ導光体３の車幅方向の内側面が光出射面に近接した位置Ｐ１において車幅方向の内側に向けて所要の角度θ１で屈曲され、車幅方向の外側面は前記内側の屈曲した位置Ｐ１よりも光入射面側の位置Ｐ２において車幅方向の内側に向けて所要の角度θ２で屈曲されている。そして、この外側面の屈曲した位置Ｐ２よりも光出射面４２に至るまでの領域が内面反射部３６として構成されている。
【００２６】
前記ストップランプ導光体３の光入射面３１は、ストップランプ光源としての前記３個のＬＥＤ１４〜１６の発光光軸Ｌｘ（出射される光の光度が最も高い方向に沿った主光軸）に対して垂直に向けられている。また、当該光入射面３１は前記３個のＬＥＤ１４〜１６に対応して３つの領域Ｓ１〜Ｓ３に区画され、各領域Ｓ１〜Ｓ３にそれぞれ同一構成の集光レンズ３７が一体に形成されている。各集光レンズ３７は本発明における第１の光学要素であり、例えば、球面レンズで構成される。この集光レンズ３７により、各ＬＥＤ１４〜１６から出射される発散光は発散を抑える方向に屈折されてストップランプ導光体３に入射される。ここでは、集光レンズ３７によって集光されて平行光束としてストップランプ導光体３に入射される。
【００２７】
前記ストップランプ導光体３の前記真直部３４は前記ＬＥＤ１４〜１６の発光光軸Ｌｘに沿って光入射面３１から真直に延長される。ここで、この真直部３４の軸線を真直部軸Ａｘと称する。前記内面反射部３６は光入射面３１から入射されて内部を導光される平行光束の光を全て内面反射することができるように前記真直部３４に対して全幅方向に交差する平坦面として形成されている。前記屈曲部３５は前記内面反射部３６で内面反射された平行光束の光を全て導光し、光出射面３２から出射させるように形成されている。ここで、この屈曲部３５の軸線を屈曲部軸Ｂｘと称する。
【００２８】
前記した内面反射部３６の反射面が真直部軸Ａｘに対してなす角度θ２は、導光される平行光束の光が全て全反射されるように、ストップランプ導光体３を構成する透光部材の臨界角θｃに基づいて、［θ２＜９０−θｃ］に設定されている。
【００２９】
また、前記屈曲部３５の屈曲部軸Ｂｘが真直部軸Ａｘに対してなす角度θ１は、ストップランプ導光体３を構成する透光部材の臨界角θｃの２倍よりも大きく、ここでは［θ１＝１８０°−２・θ２］に設定されている。
【００３０】
さらに、前記光出射面３２は出射される光を所望の方向に偏向させるための第２の光学要素を備えている。ここでは第２の光学要素として、ストップランプ導光体３を構成している透光部材の屈折率を考慮して、光出射面３２は出射される平行光束の光が所定の方向に向けて屈折させるように前記屈曲部軸Ｂｘと垂直な面に対して所定の角度θ３［θ３≠０］だけ傾斜されている。ここでは、屈曲部３５を導光されて光出射面３２において屈折されて出射される光が自動車の真後ろ方向に向けて出射される角度に設定される。
【００３１】
さらに、この実施形態では、ストップランプ導光体３の光出射面３２には光拡散要素３３が設けられている。この光拡散要素３３として、光出射面３２にシボ加工による微細凹凸が形成されており、この微細凹凸３３によって光出射面３２から出射される光を拡散させるように構成されている。
【００３２】
以上の構成のテール＆ストップランプでは、図５にテール＆ストップランプＴ＆ＳＬの点灯時の光の導光状態の水平断面図を示すように、テールランプＴＬの点灯時にはテールランプ光源としてのＬＥＤ１１〜１３，１７〜１９が発光される。すなわち、光源ユニット１の回路基板１０に搭載されている左右の列の各３個のＬＥＤ１１〜１３，１７〜１９が発光される。発光されたＬＥＤ１１〜１３，１７〜１９からは赤色光が発散状態で出射され、テールランプ導光体２，４の光入射面２１，４１に入射される。入射された光はテールランプ導光体２，４の側面での内面反射を繰り返しながら当該テールランプ導光体２，４の内部を導光され、光出射面２２，４２から出射される。
【００３３】
テールランプ導光体２，４では、ＬＥＤ１１〜１３，１７〜１９から入射される光は発散状態であるので、内部を導光される光はランダムな状態で内面反射されながら導光される。したがって、光出射面２２，４２から出射される光の方向もランダムとなり、しかも光出射面に設けられている光拡散ステップ２３，４３によって拡散される。これにより、光出射面２２，４２から出射される光は、自動車ＣＡＲの真後ろ方向に向けられるが、この方向を含む相対的に広い角度領域に向けられることになり、正面カバー１０２を透過して自動車ＣＡＲの後方の広い領域に照射される。したがって、自動車の後方の広い領域からテールランプＴＬの点灯が確認される。
【００３４】
ストップランプＳＬの点灯時にはストップランプ光源としてのＬＥＤ１４〜１６が発光される。このとき夜間であれば前記したようにテールランプＴＬが点灯されており、昼間であれば光源ユニット１の回路基板１０に搭載されている中央の列の３個のＬＥＤ１４〜１６のみが発光される。発光されたＬＥＤ１４〜１６からは赤色光が発散状態で出射され、テールランプ導光体３の光入射面３１に入射される。このとき、光入射面３１に形成されている集光レンズ３７により発散状態の光は集光され、平行光束にされてストップランプ導光体３に入射される。このことは光入射面３１に形成されている３個の集光レンズ３７のそれぞれについて行なわれるので、光入射面３１の３つの領域Ｓ１〜Ｓ３に入射される光は全て平行光束としてストップランプ導光体３に入射される。
【００３５】
平行光束の光はストップランプ導光体３の真直部３４を真直部軸Ａｘに沿って平行光束の状態で導光される。そして、導光される全ての光は内面反射部３６において内面反射され、屈曲部３５に向けられる。この内面反射部３６は平坦面であるので反射された光は平行光束の状態のままで反射される。反射された光は屈曲部３６を屈曲部軸Ｂｘに沿って平行光束の状態で導光され、光出射面３２にまで導光された後にこの光出射面３２において屈折されて出射される。
【００３６】
光出射面３２で屈折される光は平行光束の状態が保持されているので、全ての光は同じ方向に屈折されて出射される。このとき光出射面３２に設けられている微細凹凸３３によって一部の光は所要の角度領域に拡散される。光出射面３２から出射されたこれらの光は正面カバー１０２を透過して自動車ＣＡＲの真後ろ方向に向けて照射されることになる。
【００３７】
このように、ストップランプＳＬにおいては、ＬＥＤ１４〜１６から出射した光は平行光束の状態でストップランプ導光体３を導光されるので、導光される全ての光が内面反射部３６において光出射面３２の方向に反射して導光されることになり、効率の高い導光が行なわれる。また、光出射面３２から出射される光は、全ての光が所定の方向に屈折されるとともに、その一部は光出射面において拡散されるので、当該屈折方向に高い光度を有する所要の領域への光照射が行なわれる。
【００３８】
すなわち、ストップランプ導光体３の光出射面３２から出射される光は、光出射面３２での屈折方向が光度の高い配光領域となり、この光度の高い配光領域の周囲にそれよりも光度の低い配光領域が形成される。そのため、ストップランプＳＬの点灯時には、自動車ＣＡＲの真後ろ方向に向けられた光度の高い配光領域での視認性が高められるとともに、その周囲の配光領域においてもストップランプＳＬの視認性を確保することができる。
【００３９】
ここで、ストップランプ導光体３においては、光出射面３２から出射される光の方向は、ストップランプ導光体３の真直部軸Ａｘに対する内面反射部３６の角度θ２、あるいは屈曲部３５の角度θ１、さらには光出射面３２の角度θ３によって決定されることになる。したがって、これらの角度θ１と角度θ２、さらには角度θ３を適切に設計することで、ＬＥＤ１４〜１６の発光光軸Ｌｘないしはストップランプ導光体３の真直部軸Ａｘの方向に制約を受けることなく任意の方向に高い光度を有する配光で光を出射させることが可能になる。これにより、ストップランプ導光体３における設計の自由度が高められ、ストップランプ導光体３の設計・製造が容易なものになる。
【００４０】
また、このストップランプＳＬでは、前記したように光出射面３２から出射される光の出射方向は、当該光出射面３２の屈曲部軸Ｂｘに対する角度にも依存するので、ストップランプ導光体３における屈曲部軸Ｂｘに対する光出射面３２の角度θ３を変更するだけで配光を変化させることができる。したがって、真直部３４と屈曲部３５および反射面部３６が同一に構成されているストップランプ導光体の光出射面３２の角度θ３を変更するだけでも、異なる配光のストップランプが構成できる。
【００４１】
ストップランプ導光体３の光入射面の第１の光学要素は、光源（ＬＥＤ）からの光の発散を抑える方向に屈折する機能を有していればよく、簡易な構成としては光を集光する集光要素であればよいので、例えば、図６（ａ）のようにフレネル構成のレンズ３７Ａで構成してもよい。また、図６（ｂ）のように、導光体３とは別体の集光レンズ３７Ｂを光入射面３１に一体的に配設してもよい。あるいは、当該集光レンズ３７Ｂを導光体３とは別体のまま光入射面３１の光入射側位置に配設するようにしてもよい。
【００４２】
ストップランプ導光体３の光出射面３２の第２の光学要素は、光出射面３２から出射される光を所望の方向に偏向させる機能を有していればよく、簡易な構成としては光を屈折する光屈折要素であればよいので、図６（ｃ）のように、導光体３とは別体に形成したプリズム３８を光出射面３２に一体的に配設してもよい。あるいは、当該プリズム３８を導光体とは別体のまま光出射面３２の光出射側位置に配設するようにしてもよい。
【００４３】
実施形態では光出射面３２に光拡散ステップ３３を設けているが、所定の方向にのみ光出射を行なえば良い場合には、光出射面３２に光拡散ステップを設けなくてもよい。また、光拡散ステップが必要とされる場合には、光拡散ステップとしてシリンドリカルレンズを採用してもよい。あるいは、その他の構成の光拡散ステップ、あるいは光拡散層を採用してもよい。さらには、導光体と別体の光拡散要素を光出射面に配設してもよい。
【００４４】
本発明にかかる光源は、ＬＥＤに限られるものではなく、他の発光素子あるいはバルブ（電球）等の発光体であれば適用できる。
【００４５】
本発明にかかる導光体およびこれを備えるランプは実施形態のストップランプに限られるものではなく、光源の光を導光体の一方の端面に構成した光入射面から入射させ、他方の端面に構成した光出射面まで導光して出射させる構成のランプであれば適用できる。特に、光源の発光光軸の方向あるいは導光体の延長方向と、光を出射させる方向が相違する構成のランプに適用する場合に有効である。
【００４６】
また、実施形態のテール＆ストップランプは、テールランプとストップランプを別ランプとして構成しているが、光源の光度を変化できるように構成することで、テールランプとストップランプを１つのランプとして構成してもよい。すなわち、実施形態の３個の導光体２，３，４をテールランプとして点灯するとともに、ストップランプの点灯時に光源の光度を高い状態で発光させるようにしたテール＆ストップランプとして構成するようにしてもよい。
【符号の説明】
【００４７】
１  光源ユニット
２，４  テールランプ導光体
３  ストップランプ導光体
１１〜１９  光源（ＬＥＤ）
３１  光入射面
３２  光出射面（第２の光学要素）
３３  光拡散ステップ
３４  真直部
３５  屈曲部
３６  内面反射部
３７，３７Ａ，３７Ｂ  集光レンズ（第１の光学要素）
３８  プリズム（第２の光学要素）
１００  ランプハウジング
１０１  ランプボディ
１０２  正面カバー
Ｔ＆ＳＬ  テール＆ストップランプ
ＲＣＬ  リアコンビネーションランプ
ＳＬ  ストップランプ
ＴＬ  テールランプ
【図１】
2016225254.tif 000003
【図２】
2016225254.tif 000004
【図３】
2016225254.tif 000005
【図４】
2016225254.tif 000006
【図５】
2016225254.tif 000007
【図６】
2016225254.tif 000008